(57)【要約】【課題】互いに関連する撮影期間を特定する。【解決手段】画像群から代表画像が選択され、その代表画像の撮影日を含む連続した撮影期間が、候補撮影期間として特定される。代表画像に写っている１又は複数の人物のうち、少なくとも１人が写っている画像が１枚も撮影されていない撮影日が、候補撮影期間から除外され、代表画像の撮影日を含む連続した撮影期間（連続撮影期間）が特定される。【選択図】図１
2015073277.tif 000002
【特許請求の範囲】
【請求項１】
画像群から選択された代表画像の撮影日を含む連続した撮影期間を候補撮影期間として特定する第１特定手段と、
前記代表画像に写っている１又は複数の人物のうち、少なくとも１人が写っている画像が１枚も撮影されていない撮影日を前記候補撮影期間から除外し、前記代表画像の撮影日を含む連続した撮影期間を特定する第２特定手段と、
を有する画像管理装置。
【請求項２】
人物の連絡先を記憶する記憶手段をさらに有し、
前記第２特定手段は、前記代表画像に写っている１又は複数の人物の連絡先が前記記憶手段に記憶されている場合、前記代表画像に写っている１又は複数の人物のうち、少なくとも１人が写っている画像が１枚も撮影されていない撮影日を前記候補撮影期間から除外する、
請求項１に記載の画像管理装置。
【請求項３】
人物の連絡先を記憶する記憶手段をさらに有し、
前記第２特定手段は、前記代表画像に写っている１又は複数の人物の連絡先が前記記憶手段に記憶されていない場合、前記候補撮影期間を連続撮影期間として特定する、
請求項１に記載の画像管理装置。
【請求項４】
画像群から選択された代表画像の撮影日を含む連続した撮影期間を候補撮影期間として特定する第１特定手段と、
前記代表画像と同じ日に撮影された画像及び前記代表画像の少なくとも１つに写っている人物以外の人物が写っている画像が撮影された撮影日を前記候補撮影期間から除外し、前記代表画像の撮影日を含む連続した撮影期間を特定する第２特定手段と、
を有する画像管理装置。
【請求項５】
画像群から選択された代表画像の撮影日を含む連続した撮影期間を候補撮影期間として特定する第１特定手段と、
前記代表画像に写っている複数の人物の組み合わせと、前記候補撮影期間に撮影された画像に写っている複数の人物の組み合わせと、の類似度に基づいて前記候補撮影期間から連続撮影期間を特定する第２特定手段と、
を有する画像管理装置。
【請求項６】
前記第２特定手段は、前記代表画像の撮影日と、前記代表画像に写っている１又は複数の人物のうち、少なくとも１人が写っている画像が１枚も撮影されていない撮影日と、の間隔が予め定められた閾値以下となる撮影期間を連続撮影期間として特定する、
請求項１から請求項５のいずれか１項に記載の画像管理装置。
【請求項７】
コンピュータを、
画像群から選択された代表画像の撮影日を含む連続した撮影期間を候補撮影期間として特定する第１特定手段と、
前記代表画像に写っている１又は複数の人物のうち、少なくとも１人が写っている画像が１枚も撮影されていない撮影日を前記候補撮影期間から除外し、前記代表画像の撮影日を含む連続した撮影期間を特定する第２特定手段と、
として機能させるためのプログラム。
【発明の詳細な説明】
【技術分野】
【０００１】
本発明は、画像管理装置及びプログラムに関する。
【背景技術】
【０００２】
デジタルカメラ等の撮影装置によって撮影された画像データを、特定の宛先に送信する装置が知られている。
【０００３】
特許文献１には、集合写真画像に写っている複数の被写体の各々が含まれる被写体画像部分と、アドレス帳メモリに格納されている複数の被写体画像と、を比較し、一致する被写体画像に対応付けられた電子メールアドレスを読み出し、当該電子メールアドレスを宛先として、集合写真画像が添付された電子メールを送信する装置が開示されている。
【０００４】
特許文献２には、対象被写体が写真に写っている場合に、当該写真における当該対象被写体が条件情報に適合するかを判定し、適合している場合には、指定処理を実行する装置が開示されている。引用文献２に記載された装置は、例えば、条件情報に適合する写真を加工し、加工後の写真を電子メールに添付して送信する。
【先行技術文献】
【特許文献】
【０００５】
【特許文献１】特開２００５−２６７１４６号公報
【特許文献２】特開２０１０−１４７７１６号公報
【発明の概要】
【発明が解決しようとする課題】
【０００６】
ある画像データを特定の宛先に送信しようとする場合、ユーザが、一枚ずつ画像データを選択し、その画像データに表された人物を特定し、更に、当該人物の宛先（例えば電子メールアドレス）を探し出して、その電子メールアドレスを宛先にして画像データを送信する必要がある。これに対して、ユーザによって選択された画像データに表された人物を検出し、当該人物に対応付けられた電子メールアドレスに当該画像データを送信するようにすれば、ユーザが宛先を探し出さなくても、送信対象の画像データが特定の宛先に送信されることになる。
【０００７】
ところで、複数の画像データを複数人で共有したいような場合がある。例えば、複数人で出かけて撮影を行った場合、一緒に出かけたメンバー間で複数の画像データを共有したいことがある。このような場合に、ユーザによって選択された画像データから人物を検出し、当該人物に対応する電子メールアドレスに画像データを送信しようとすると、ユーザが画像データを選択して電子メールで送信するといった作業が、画像データの枚数分発生することになり、ユーザの作業負担が増大する。
【０００８】
また、撮影によって生成された複数の画像データの中には、人物が表されていない風景の画像データや、一緒に出かけたメンバーが表されていない画像データが存在することもある。このような画像データには検出対象の人物が表されていないため、画像データから人物を検出して画像データを送信する方法では、当該画像データはメンバー間で共有されないことになる。さらに、あるメンバーが表された画像データを、当該画像データに表されていない他のメンバーに送信しようとしても、当該画像データには当該他のメンバーが表されていないのであるから、当該画像データは当該他のメンバーに共有されないことになる。
【０００９】
以上のように、撮影によって取得された複数の画像データの選択や送信に関する様々なニーズが存在するが、そのようなニーズに応じて画像データを選択して送信することは困難であった。
【００１０】
本発明の目的は、互いに関連する撮影期間を特定することである。
【課題を解決するための手段】
【００１１】
請求項１に係る発明は、画像群から選択された代表画像の撮影日を含む連続した撮影期間を候補撮影期間として特定する第１特定手段と、前記代表画像に写っている１又は複数の人物のうち、少なくとも１人が写っている画像が１枚も撮影されていない撮影日を前記候補撮影期間から除外し、前記代表画像の撮影日を含む連続した撮影期間を特定する第２特定手段と、を有する画像管理装置である。
【００１２】
請求項２に係る発明は、人物の連絡先を記憶する記憶手段をさらに有し、前記第２特定手段は、前記代表画像に写っている１又は複数の人物の連絡先が前記記憶手段に記憶されている場合、前記代表画像に写っている１又は複数の人物のうち、少なくとも１人が写っている画像が１枚も撮影されていない撮影日を前記候補撮影期間から除外する、請求項１に記載の画像管理装置である。
【００１３】
請求項３に係る発明は、人物の連絡先を記憶する記憶手段をさらに有し、前記第２特定手段は、前記代表画像に写っている１又は複数の人物の連絡先が前記記憶手段に記憶されていない場合、前記候補撮影期間を連続撮影期間として特定する、請求項１に記載の画像管理装置である。
【００１４】
請求項４に係る発明は、画像群から選択された代表画像の撮影日を含む連続した撮影期間を候補撮影期間として特定する第１特定手段と、前記代表画像と同じ日に撮影された画像及び前記代表画像の少なくとも１つに写っている人物以外の人物が写っている画像が撮影された撮影日を前記候補撮影期間から除外し、前記代表画像の撮影日を含む連続した撮影期間を特定する第２特定手段と、を有する画像管理装置である。
【００１５】
請求項５に係る発明は、画像群から選択された代表画像の撮影日を含む連続した撮影期間を候補撮影期間として特定する第１特定手段と、前記代表画像に写っている複数の人物の組み合わせと、前記候補撮影期間に撮影された画像に写っている複数の人物の組み合わせと、の類似度に基づいて前記候補撮影期間から連続撮影期間を特定する第２特定手段と、を有する画像管理装置である。
【００１６】
請求項６に係る発明は、前記第２特定手段は、前記代表画像の撮影日と、前記代表画像に写っている１又は複数の人物のうち、少なくとも１人が写っている画像が１枚も撮影されていない撮影日と、の間隔が予め定められた閾値以下となる撮影期間を連続撮影期間として特定する、請求項１から請求項５のいずれか１項に記載の画像管理装置である。
【００１７】
請求項７に係る発明は、コンピュータを、画像群から選択された代表画像の撮影日を含む連続した撮影期間を候補撮影期間として特定する第１特定手段と、前記代表画像に写っている１又は複数の人物のうち、少なくとも１人が写っている画像が１枚も撮影されていない撮影日を前記候補撮影期間から除外し、前記代表画像の撮影日を含む連続した撮影期間を特定する第２特定手段と、として機能させるためのプログラムである。
【発明の効果】
【００１８】
請求項１，４，５，６，７に係る発明によると、互いに関連する撮影期間が特定される。
【００１９】
請求項２に係る発明によると、連絡先が記憶されている人物が写っている画像の連続撮影期間が特定される。
【００２０】
請求項３に係る発明によると、人物の連絡先が記憶されていない場合における連続撮影期間が特定される。
【図面の簡単な説明】
【００２１】
【図１】本発明の実施形態に係る画像管理装置の一例を示すブロック図である。
【図２】ユーザインターフェースにおける画面の一例である。
【図３】連絡先の一例を示す表である。
【図４】実施形態に係る画像管理装置の動作の概要を説明するための図である。
【図５】撮影された画像群の一例を模式的に示す図である。
【図６】画像データの一例を示す表である。
【図７】撮影された画像群の一例を模式的に示す図である。
【図８】実施例１Ａに係る処理の一例を示すフローチャートである。
【図９】実施例１Ｂに係る処理の一例を示すフローチャートである。
【図１０】実施例１Ｃに係る処理の一例を示すフローチャートである。
【図１１】実施例２に係る処理の一例を示すフローチャートである。
【図１２】実施例３Ａに係る処理の一例を示すフローチャートである。
【図１３】実施例３Ｂに係る処理の一例を示すフローチャートである。
【図１４】実施例３Ｃに係る処理の一例を示すフローチャートである。
【図１５】実施例４に係る処理の一例を示すフローチャートである。
【図１６】時系列に沿って撮影された画像群の一例を模式的に示す図である。
【図１７】実施例６に係る画像管理装置の一例を示すブロック図である。
【図１８】実施例６に係るシステムの一例を示すブロック図である。
【発明を実施するための形態】
【００２２】
図１に、本発明の実施形態に係る画像管理装置の一例を示す。画像管理装置１０は、画像記憶部１２、表示制御部１４、ユーザインターフェース部（ＵＩ部）１６、画像解析部１８、連絡先記憶部３０、連絡先選択部３２及び送受信部３４を含む。
【００２３】
撮影装置５０は、例えばデジタルカメラやビデオカメラであり、撮影することで画像データを生成する。撮影装置５０は、ＧＰＳ（Ｇｌｏｂａｌ  Ｐｏｓｉｔｉｏｎｉｎｇ  Ｓｙｓｔｅｍ）等の位置測定機能を備えており、撮影位置を示す撮影位置情報を取得する。また、撮影装置５０は時計機能を備えており、撮影日時を記録する。撮影装置５０は、撮影によって生成された各画像データに、撮影位置情報と撮影日時を示す撮影日時情報とをメタデータとして付帯させる。また、撮影装置５０は、撮影者を示す撮影者情報を、メタデータとして画像データに付帯させてもよい。例えば、撮影装置５０は、撮影装置５０にログインしたユーザを撮影者とし、当該ユーザを示す撮影者情報を画像データに付帯させる。
【００２４】
画像記憶部１２は、撮影装置５０によって生成された画像データを記憶する。画像記憶部１２に記憶された画像データは、例えばスチル写真であってもよいし、動画像データの１フレームであってもよい。また、画像記憶部１２は、複数の異なる撮影装置によって生成された画像データを記憶してもよい。
【００２５】
なお、画像管理装置１０が、デジタルカメラやビデオカメラ等の撮影機能、ＧＰＳ等の位置測定機能、及び、時計機能を備えていてもよい。この場合、画像管理装置１０は、撮影機能によって生成された画像データに、位置測定機能によって得られた撮影位置情報と、時計機能によって得られた撮影日時情報と、をメタデータとして付帯させ、画像データを画像記憶部１２に記憶させる。このように、撮影機能、位置測定機能及び時計機能を備えた画像管理装置１０は、いわゆるスマートフォンや携帯電話等の携帯端末装置として実現される。また、画像管理装置１０は、撮影者を示す撮影者情報を、メタデータとして画像データに付帯させてもよい。この場合、画像管理装置１０は、画像管理装置１０の所有者、画像管理装置１０にアカウントが設定されたユーザ、又は、画像管理装置１０にログインしたユーザを、撮影者とし、当該撮影者を示す撮影者情報を画像データに付帯させる。
【００２６】
ユーザインターフェース部（ＵＩ部）１６は、ディスプレイとしての表示部と、ユーザの操作を受け付ける操作部と、を含む。ＵＩ部１６は、例えばタッチパネルであってもよい。表示制御部１４は、画像記憶部１２に記憶された画像データをＵＩ部１６の表示部に表示させる。
【００２７】
例えば、表示制御部１４が複数の画像データをＵＩ部１６の表示部に表示させ、ユーザは表示部に表示された画像データを見ながら、操作部によって画像データを指定する。以下では、ユーザによって選択された画像データを「代表画像データ」と称することとする。ユーザは、１つの代表画像データを選択してもよいし、複数の代表画像データを選択してもよい。具体例を挙げて説明すると、例えば図２に示すように、表示制御部１４は、複数の画像からなる画像群１００をＵＩ部１６に表示させてもよいし、画像を一枚ずつＵＩ部１６に表示させてもよい。ユーザは、ＵＩ部１６に表示された画像群１００の中から代表画像データを選択することになる。
【００２８】
画像解析部１８は、人物解析処理部２０、撮影時間特定部２２、撮影場所特定部２４、画像選択条件設定部２６及び関連画像選択部２８を含む。
【００２９】
人物解析処理部２０は、ユーザによって選択された代表画像データを画像解析することで、代表画像データに表された人物（被写体）を特定するために用いられる画像領域を特定し、その画像領域に含まれる画像データを抽出する。具体的には、人物解析処理部２０は、代表画像データに表された人物の領域から「人の顔」に相当する領域を特定し、顔の輪郭、目、眉、鼻、口及び頬等の表す顔画像データを抽出する。この顔画像データによって、人物が特定されることになる。以下では、代表画像データに表された人物を「対象被写体」と称することとする。
【００３０】
撮影時間特定部２２は、代表画像データのメタデータに含まれる撮影日時情報を参照することで、代表画像データの撮影日時を特定する。
【００３１】
撮影場所特定部２４は、代表画像データのメタデータに含まれる撮影位置情報を参照することで、代表画像データの撮影場所を特定する。例えばＧＰＳを利用して得られた撮影位置情報は、撮影が行われた緯度及び経度を示しているため、撮影場所特定部２４は、撮影位置情報が示す緯度及び経度に基づいて、撮影が行われた国、都道府県、市町村、州、群、地方又は東西等の地域を特定してもよいし、撮影が行われた建物等のランドマークを特定してもよい。例えば、経度及び緯度を示す情報と、地域名やランドマーク名等を示す情報と、が対応付けられたデータベースを予め用意しておき、撮影場所特定部２４は、そのデータベースを利用することで、撮影位置情報に基づいて撮影場所を特定してもよい。
【００３２】
画像選択条件設定部２６は、代表画像データに基づいて、人物条件、撮影時間条件及び撮影場所条件のうち少なくとも１つを含む画像選択条件を設定する。例えば、画像選択条件設定部２６は、顔画像データによって特定された対象被写体に基づいて人物条件を設定し、代表画像データの撮影日時に基づいて撮影時間条件を設定し、代表画像データの撮影場所に基づいて撮影場所条件として設定する。
【００３３】
人物条件は、画像記憶部１２に記憶されている画像データ群から、対象被写体が表されている画像データを選択するための条件である。
【００３４】
撮影時間条件は、画像記憶部１２に記憶されている画像データ群から、代表画像データの撮影日時を基準として、予め設定された時間範囲内に撮影された画像データを選択するための条件である。予め設定された時間範囲とは、一例として、撮影日と同日、撮影日の前後数日、撮影日のある時間帯（例えば９時−１７時）等が該当する。
【００３５】
撮影場所条件は、画像記憶部１２に記憶されている画像データ群から、代表画像データの撮影場所を基準として、予め設定された場所範囲内で撮影された画像データを選択するための条件である。予め設定された場所範囲内とは、一例として、撮影場所と同じ地域（国、都道府県、市町村、州、群、地方又は東西等）が該当する。
【００３６】
なお、画像選択条件に含める条件は、ユーザによって指定されてもよいし、予め決定されていてもよい。例えば、条件がユーザによって指定される場合、図２に示すように、表示制御部１４は、設定ボックス１６ＡをＵＩ部１６に表示させる。設定ボックス１６Ａには、画像選択条件に含める条件（人物条件、撮影時間条件及び撮影場所条件）を指定するためのチェックボックスが含まれる。ユーザがＵＩ部１６を用いて、設定ボックス１６Ａに含まれる各条件のチェックボックスを指定すると、画像選択条件設定部２６は、ユーザによって指定された条件を画像選択条件に含める。
【００３７】
関連画像選択部２８は、画像選択条件に合致する画像データを、画像記憶部１２に記憶されている複数の画像データから選択する。すなわち、関連画像選択部２８は、顔画像データによって特定された対象被写体、代表画像データの撮影日時、及び、代表画像データの撮影場所のうち少なくとも１つを条件とし、当該条件に合致する画像データを、画像記憶部１２に記憶された複数の画像データから選択する。以下では、関連画像選択部２８によって選択された画像データを「関連画像データ」と称することとする。関連画像選択部２８の具体的な処理については、後述する。
【００３８】
連絡先記憶部３０は、人物を識別する識別情報（例えば名前やＩＤ）と、当該人物を表す画像データ（例えば当該人物の顔画像データ）と、当該人物の連絡先（例えば電子メールアドレスや電話番号）を示す連絡先情報と、を人物毎に対応付けて記憶する。図３に、連絡先の一例を示す。例えば、ＩＤと、名前と、顔画像データと、電子メールアドレスと、電話番号と、が人物毎に対応付けられている。
【００３９】
連絡先選択部３２は、関連画像データの送信先を示す連絡先情報を、連絡先記憶部３０から取得する。具体的には、連絡先選択部３２は、対象被写体の顔画像データを検索キーとして、連絡先記憶部３０に登録されている顔画像データを検索し、検索キーに一致する顔画像データに対応付けられた人物の連絡先情報を取得する。連絡先選択部３２は、例えば公知の画像処理技術を用い、顔画像データに表された「顔」の近似度に基づいて、同一人物であると推定される人物を特定することで、検索キーに対応する連絡先情報を取得する。これにより、対象被写体の名前、電子メールアドレス及び電話番号が特定されることになる。なお、連絡先選択部３２によって選択された連絡先が、「共有先」の一例に相当する。
【００４０】
送受信部３４は、共有先において関連画像データを共有するための処理を行う。例えば、送受信部３４は、ネットワーク等の通信経路を介して、連絡先選択部３２によって選択された電子メールアドレスを宛先として、関連画像データが添付された電子メールを送信する。または、送受信部３４は、関連画像データの格納場所を示す情報（例えばＵＲＬ等のアドレス情報）が記述された電子メールを、連絡先選択部３２によって選択された電子メールアドレスを宛先として送信してもよい。また、送受信部３４は、通信経路を介して外部の装置から情報を受信する。
【００４１】
次に、図４を参照して、画像管理装置１０の動作の概略について説明する。図４は、画像管理装置１０の動作の概略を示す図である。
【００４２】
まず、ユーザがＵＩ部１６を用いて画像表示の指示を与えると、例えば図２に示すように、表示制御部１４は、画像記憶部１２に記憶されている画像群１００をＵＩ部１６に表示させる（Ｓ０１）。
【００４３】
ユーザはＵＩ部１６を用いて、画像群１００の中から代表画像データを指定する（Ｓ０２）。また、ユーザはＵＩ部１６を用いて、設定ボックス１６Ａに含まれる各条件のチェックボックスをチェックすることで、画像選択条件に含める条件を指定する（Ｓ０３）。なお、画像選択条件に含める条件は、予め決定されていてもよい。
【００４４】
一方、人物解析処理部２０は、代表画像データに対して画像解析（人物特定処理）を行うことにより、代表画像データから顔画像データを抽出する。
【００４５】
画像選択条件設定部２６は、代表画像データに基づいて画像選択条件を設定する（Ｓ０４）。例えば、人物条件が画像選択条件として指定された場合、画像選択条件設定部２６は、顔画像データによって特定された対象被写体に基づいて人物条件を設定する。また、撮影時間条件が画像選択条件として指定された場合、画像選択条件設定部２６は、代表画像データの撮影日時に基づいて撮影時間条件を設定する。また、撮影場所条件が画像選択条件として指定された場合、画像選択条件設定部２６は、代表画像の撮影場所に基づいて撮影場所条件を設定する。
【００４６】
そして、関連画像選択部２８は、画像選択条件に合致する関連画像データ群を、画像記憶部１２に記憶されている画像データ群から選択する（Ｓ０５）。
【００４７】
連絡先選択部３２は、顔画像データに対応付けられた人物の連絡先情報（共有先情報）を連絡先記憶部３０から取得する（Ｓ０６）。そして、送受信部３４は、当該連絡先（共有先）において関連画像データ群を共有するための処理を行う（Ｓ０７）。
【００４８】
また、人物解析処理部２０は、関連画像データ群に対して画像解析（人物特定処理）を行うことにより、関連画像データ群から顔画像データを抽出してもよい。そして、連絡先選択部３２は、当該顔画像データに対応付けられた人物の連絡先情報（共有先情報）を連絡先記憶部３０から取得し、送受信部３４は、当該連絡先において関連画像データ群を共有するための処理を行ってもよい。
【００４９】
以上のように、本実施形態では、関連画像群の選択（画像選択条件の設定）において代表画像を利用し、更に、共有先の特定において代表画像を利用する。すなわち、関連画像群の選択の場面と共有先の特定の場面とで、代表画像を併用している。これにより、ユーザとしては代表画像の指定を行えば、代表画像をきっかけにして、代表画像に関連する関連画像群が簡便に選択され、共有先にて関連画像群が簡便に共有されることになる。送信対象の画像群や共有先をユーザが指定しなくても、共有先にて関連画像群が共有されることになるので、ユーザの利便性が向上する。
【００５０】
次に、画像管理装置１０の具体的な実施例について説明する。その説明の前提として、図５から図７に、撮影によって生成された画像データの一例を示す。図５には、代表画像データの撮影日（例えば６月１０日）に撮影された画像データ群（画像データ１〜１２）が示されている。図６には、画像データ１〜１４の撮影日や撮影場所等を示す情報が、表形式で示されている。また、図７には、代表画像データの撮影日の前後の日に撮影された画像データ群（画像データ１３〜２４）が表されている。画像データ群に含まれる画像データには、Ａ氏やＢ氏等の人物が写されているものや、人物が映されておらず背景や建物のみが映されているものがある。
【００５１】
＜実施例１Ａ，１Ｂ，１Ｃ＞
まず、実施例１Ａ，１Ｂ，１Ｃについて説明する。実施例１Ａ，１Ｂ，１Ｃでは、関連画像選択部２８は、対象被写体が写っている画像データを関連画像データとして選択する。
【００５２】
（実施例１Ａ）
図８に示すフローチャートを参照して、実施例１Ａについて説明する。実施例１Ａでは、画像選択条件として、人物条件と撮影時間条件とが指定されている。まず、ユーザがＵＩ部１６を用いて画像表示の指示を与えると、表示制御部１４は、画像記憶部１２に記憶されている画像データをＵＩ部１６に表示させる（Ｓ１０）。このようにして表示された画像データが、代表画像データの候補となる。
【００５３】
そして、ユーザはＵＩ部１６を用いて、ＵＩ部１６に表示された画像データの中から代表画像データを指定すると（Ｓ１１）、人物解析処理部２０は、代表画像データから人物の顔画像データを抽出する（Ｓ１２）。具体例を挙げて説明すると、例えば図５に示す画像データ１がユーザによって代表画像として指定された場合、人物解析処理部２０は、画像データ１に表された人物（Ａ氏及びＢ氏）を対象被写体として特定し、Ａ氏及びＢ氏のそれぞれの顔画像データを画像データ１から抽出する。一方、撮影時間特定部２２は、画像データ１（代表画像データ）のメタデータに含まれる撮影日時情報を参照することで、画像データ１の撮影日（６月１０日）を特定する（Ｓ１３）。
【００５４】
画像選択条件設定部２６は、人物条件と撮影時間条件とを含む画像選択条件を設定する。実施例１Ａでは、画像選択条件設定部２６は、画像データ１に表された人物（Ａ氏及びＢ氏）を人物条件に設定し、画像データ１の撮影日と同じ日（６月１０日）を撮影時間条件に設定する。
【００５５】
関連画像選択部２８は、画像記憶部１２に記憶されている複数の画像データの中から、画像選択条件に従って、画像データ１の撮影日（６月１０日）と同じ日に撮影された画像データ群（同一撮影日画像データ群）を特定する（Ｓ１４）。図５及び図６に示す例では、画像データ１〜１２が、画像データ１の撮影日と同じ日に撮影されているので、同一撮影日画像データ群に含まれる。
【００５６】
そして、関連画像選択部２８は、同一撮影日画像データ群（画像データ１〜１２）と、人物解析処理部２０によって抽出された顔画像データ（Ａ氏及びＢ氏のそれぞれの顔画像データ）と、を対象にしてマッチング処理を行うことで、同一撮影日画像データ群の中から、対象被写体が表された画像データ群を関連画像データ群として選択する（Ｓ１５）。例えば、関連画像選択部２８は、公知の画像処理技術を用い、顔画像データに表された「顔」の近似度に基づいて、同一人物であると推定される人物を特定することで、対象被写体が表された画像データを選択する。具体的には、関連画像選択部２８は、画像データ１〜１２の中から、Ａ氏及びＢ氏のうち少なくとも一方が表されている画像データを関連画像データとして選択する。図５に示す例では、画像データ１，２，３，４，５，９が関連画像データとして選択される。なお、図６に示す表においては、関連画像データ群のＩＤが破線で囲まれている。
【００５７】
また、連絡先選択部３２は、Ａ氏及びＢ氏のそれぞれの顔画像データを検索キーとして、Ａ氏及びＢ氏のそれぞれの顔画像データに対応付けられた電子メールアドレスを連絡先記憶部３０から取得する（Ｓ１６）。
【００５８】
そして、図示しない制御部が電子メールのソフトウェアを起動し、Ａ氏及びＢ氏のそれぞれの電子メールアドレスを送信先に設定し、電子メールに関連画像データ群（画像データ１，２，３，４，５，９）を添付する。送受信部３４は、Ａ氏及びＢ氏のそれぞれの電子メールアドレスを宛先として、関連画像データ群が添付された電子メールを送信する（Ｓ１７）。
【００５９】
実施例１Ａによると、ユーザは代表画像を指定すれば、代表画像の撮影日と同じ日に撮影され、対象被写体が表された関連画像群が選択され、更に、共有先が特定されて関連画像群が送信される。これにより、互いに関連する画像群が、関係者間で簡便に共有されることになる。また、人物条件と撮影時間条件とを画像選択条件とすることで、一緒に行動したメンバーという観点から画像選択の条件が絞り込まれる。これにより、１つのイベントで撮影された関連画像群が選択されて、関係者に送信されることになる。例えば、複数人で旅行した場合に、旅行をした時間という観点から、その旅行中に撮影された画像群が関連画像群として選択されて関係者間で共有されることになる。
【００６０】
（実施例１Ｂ）
次に、図９に示すフローチャートを参照して、実施例１Ｂについて説明する。実施例１Ｂでは、画像選択条件として、人物条件と撮影場所条件とが指定されている。実施例１Ａと同様に、表示制御部１４は、画像記憶部１２に記憶されている画像データをＵＩ部１６に表示させ（Ｓ２０）、ユーザがＵＩ部１６を用いて代表画像データを指定すると（Ｓ２１）、人物解析処理部２０は、代表画像データから顔画像データを抽出する（Ｓ２２）。実施例１Ａと同様に、図５に示す画像データ１が代表画像データとして指定された場合、Ａ氏及びＢ氏が対象被写体として特定され、Ａ氏及びＢ氏のそれぞれの顔画像データが画像データ１から抽出される。
【００６１】
一方、撮影場所特定部２４は、画像データ１（代表画像データ）のメタデータに含まれる撮影位置情報を参照することで、画像データ１の撮影場所を特定する（Ｓ２３）。本実施形態では、撮影場所特定部２４は、都道府県や州等の地域を単位として撮影場所を特定する。図５に示す例では、画像データ１の撮影場所は「京都」であると特定される。
【００６２】
画像選択条件設定部２６は、人物条件と撮影場所条件とを含む画像選択条件を設定する。実施例１Ｂでは、画像選択条件設定部２６は、画像データ１に表された人物（Ａ氏及びＢ氏）を人物条件に設定し、画像データ１の撮影場所（京都）を撮影場所条件に設定する。
【００６３】
関連画像選択部２８は、画像記憶部１２に記憶されている複数の画像データの中から、画像選択条件に従って、画像データ１の撮影場所（京都）と同じ場所で撮影された画像データ群（同一撮影場所画像データ群）を特定する（Ｓ２４）。
【００６４】
なお、画像選択条件設定部２６は、画像データ１の撮影場所を基準にして、予め設定された場所範囲内に含まれる場所を撮影場所条件に設定してもよい。具体例を挙げて説明すると、画像データ１の撮影場所（例えば緯度及び経度）を基準にして、「大阪」の位置が予め設定された場所範囲内に含まれる場合、画像選択条件設定部２６は、「大阪」も撮影場所条件に設定する。この場合、関連画像選択部２８は、画像データ１の撮影場所を基準にして、予め設定された場所範囲内で撮影された画像データ群を、同一撮影場所画像データ群として特定する。例えば、関連画像選択部２８は、「大阪」で撮影された画像データ群も、同一撮影場所画像データ群として選択する。これにより、「京都」及び「大阪」のそれぞれで撮影された画像データ群が「同一撮影場所画像データ群」として選択される。
【００６５】
そして、関連画像選択部２８は、同一撮影場所画像データ群と、人物解析処理部２０によって抽出された顔画像データ（Ａ氏及びＢ氏のそれぞれの顔画像データ）と、を対象にしてマッチング処理を行うことで、同一撮影場所画像データ群の中から、Ａ氏及びＢ氏のうち少なくとも一方が表されている画像データ群を関連画像データ群として選択する（Ｓ２５）。
【００６６】
また、連絡先選択部３２は、実施例１Ａと同様に、Ａ氏及びＢ氏のそれぞれの電子メールアドレスを連絡先記憶部３０から取得する（Ｓ２６）。そして、送受信部３４は、Ａ氏及びＢ氏のそれぞれの電子メールアドレスを宛先として、関連画像データ群が添付された電子メールを送信する（Ｓ２７）。
【００６７】
実施例１Ｂによると、ユーザは代表画像を指定すれば、代表画像の撮影場所と同じ場所で撮影され、対象被写体が表された関連画像群が選択され、更に、共有先が特定されて関連画像群が送信される。これにより、互いに関連する画像群が、関係者間で簡便に共有されることになる。また、人物条件と撮影場所条件とを画像選択条件とすることで、一定の場所で行動したメンバーという観点から画像選択の条件が絞りこまれる。これにより、１つのイベントで撮影された関連画像群が選択されて、関係者に送信されることになる。例えば、複数人で旅行した場合に、旅行をした場所という観点から、その旅行中に撮影された画像群が関連画像群として選択されて関係者間で共有されることになる。
【００６８】
（実施例１Ｃ）
次に、図１０に示すフローチャートを参照して、実施例１Ｃについて説明する。実施例１Ｃでは、画像選択条件として、人物条件と撮影時間条件と撮影場所条件とが指定されている。実施例１Ａと同様に、表示制御部１４は、画像記憶部１２に記憶されている画像データをＵＩ部１６に表示させ（Ｓ３０）、ユーザがＵＩ部１６を用いて代表画像データを指定すると（Ｓ３１）、人物解析処理部２０は、代表画像データから顔画像データを抽出する（Ｓ３２）。実施例１Ａと同様に、図５に示す画像データ１が代表画像データとして指定された場合、Ａ氏及びＢ氏が対象被写体として特定され、Ａ氏及びＢ氏のそれぞれの顔画像データが画像データ１から抽出される。
【００６９】
一方、撮影時間特定部２２は、画像データ１（代表画像データ）のメタデータに含まれる撮影日時情報を参照することで、画像データ１の撮影日（６月１０日）を特定する（Ｓ３３）。また、撮影場所特定部２４は、画像データ１のメタデータに含まれる撮影位置情報を参照することで、画像データ１の撮影場所（京都）を特定する（Ｓ３４）。
【００７０】
画像選択条件設定部２６は、人物条件と撮影時間条件と撮影場所条件とを含む画像選択条件を設定する。実施例１Ｃでは、画像選択条件設定部２６は、画像データ１に表された人物（Ａ氏及びＢ氏）を人物条件に設定し、画像データ１の撮影日（６月１０日）を撮影時間条件に設定し、画像データ１の撮影場所（京都）を撮影場所条件に設定する。
【００７１】
関連画像選択部２８は、画像記憶部１２に記憶されている複数の画像データの中から、画像選択条件に従って、画像データ１の撮影日（６月１０日）と同じ日に、画像データ１の撮影場所（京都）と同じ場所で撮影された画像データ群を特定する（Ｓ３５）。なお、実施例１Ｂと同様に、関連画像選択部２８は、画像データ１の撮影場所を基準にして、予め設定された場所範囲内（例えば「大阪」）で撮影された画像データ群を、画像データ１の撮影場所と同じ場所で撮影された画像データ群として特定してもよい。
【００７２】
そして、関連画像選択部２８は、ステップＳ３５で特定された画像データ群と、人物解析処理部２０で抽出された顔画像データ（Ａ氏及びＢ氏のそれぞれの顔画像データ）と、を対象にしてマッチング処理を行うことで、画像データ群の中から、Ａ氏及びＢ氏のうち少なくとも一方が表されている画像データを関連画像データとして選択する（Ｓ３６）。
【００７３】
また、連絡先選択部３２は、実施例１Ａと同様に、Ａ氏及びＢ氏のそれぞれの電子メールアドレスを連絡先記憶部３０から取得する（Ｓ３７）。そして、送受信部３４は、Ａ氏及びＢ氏のそれぞれの電子メールアドレスを宛先として、関連画像データが添付された電子メールを送信する（Ｓ３８）。
【００７４】
実施例１Ｃによると、ユーザは代表画像を指定すれば、代表画像の撮影日と同じ日に、代表画像の撮影場所と同じ場所で撮影され、対象被写体が表された関連画像群が選択され、更に、共有先が特定されて関連画像群が送信される。これにより、互いに関連する画像群が、関係者間で簡便に共有されることになる。また、人物条件と撮影時間条件と撮影場所条件とを画像選択条件とすることで、関連画像群の中に無関係な画像が入り込む可能性が低減される。これにより、一定の場所で一緒に行動したメンバーという観点から画像選択の条件が絞りこまれるため、１つのイベントで撮影された関連画像群が選択されて、関係者に送信されることになる。例えば、複数人で旅行した場合に、旅行をした場所及び時間という観点から、その旅行中に撮影された画像群が関連画像群として選択されて関係者間で共有されることになる。
【００７５】
＜実施例２＞
次に、図１１に示すフローチャートを参照して、実施例２について説明する。実施例２では、画像選択条件として、撮影時間条件と撮影場所条件とが指定されている。実施例１Ａと同様に、表示制御部１４は、画像記憶部１２に記憶されている画像データをＵＩ部１６に表示させ（Ｓ４０）、ユーザがＵＩ部１６を用いて代表画像データを指定すると（Ｓ４１）、人物解析処理部２０は、代表画像データから顔画像データを抽出する（Ｓ４２）。実施例１Ａと同様に、図５に示す画像データ１が代表画像データとして指定された場合、Ａ氏及びＢ氏が対象被写体として特定され、Ａ氏及びＢ氏のそれぞれの顔画像データが画像データ１から抽出される。
【００７６】
一方、撮影時間特定部２２は、画像データ１（代表画像データ）のメタデータに含まれる撮影日時情報を参照することで、画像データ１の撮影日（６月１０日）を特定する（Ｓ４３）。また、撮影場所特定部２４は、画像データ１のメタデータに含まれる撮影位置情報を参照することで、画像データ１の撮影場所（京都）を特定する（Ｓ４４）。
【００７７】
画像選択条件設定部２６は、撮影時間条件と撮影場所条件とを含む画像選択条件を設定する。実施例２では、画像選択条件設定部２６は、画像データ１の撮影日（６月１０日）を撮影時間条件に設定し、画像データ１の撮影場所（京都）を撮影場所条件に設定する。
【００７８】
関連画像選択部２８は、画像記憶部１２に記憶されている複数の画像データの中から、画像選択条件に従って、画像データ１の撮影日（６月１０日）と同じ日に、画像データ１の撮影場所（京都）と同じ場所で撮影された画像データ群を関連画像データ群として選択する（Ｓ４５）。図５に示す例では、画像データ１〜８が、代表画像データ（画像データ１）の撮影日と同じ日に、代表画像データの撮影場所と同じ場所で撮影されているので、関連画像データ群に含まれる。なお、実施例１Ｂと同様に、関連画像選択部２８は、画像データ１の撮影場所を基準にして、予め設定された場所範囲内（例えば「大阪」）で撮影された画像データ群（図５に示す例では、画像データ９）を関連画像データ群として選択してもよい。
【００７９】
また、連絡先選択部３２は、実施例１Ａと同様に、Ａ氏及びＢ氏のそれぞれの電子メールアドレスを連絡先記憶部３０から取得する（Ｓ４６）。そして、送受信部３４は、Ａ氏及びＢ氏のそれぞれの電子メールアドレスを宛先として、関連画像データ群が添付された電子メールを送信する（Ｓ４７）。図５に示す例では、画像データ１〜８（及び９）が添付された電子メールが、Ａ氏及びＢ氏のそれぞれの電子メールアドレスに送信される。
【００８０】
実施例２によると、ユーザは代表画像を指定すれば、代表画像の撮影日と同じ日に、代表画像の撮影場所と同じ場所で撮影された関連画像群が選択され、更に、共有先が特定されて関連画像群が送信される。これにより、互いに関連する画像群が、関係者間で簡便に共有されることになる。また、撮影時間条件と撮影場所条件とを画像選択条件とすることで、人物が表されていない画像も関連画像として選択される。そのため、風景のみの画像であっても、関係者間で共有されることになる。例えば、旅行中に撮影された画像であっても、人物が写されていないものがある。このような画像であっても、関係者間で簡便に共有される。
【００８１】
なお、人物が表されていない画像データは、人物が全く表されていない風景のみの画像データの他、人物が表されているが人物が実質的に表されていない画像データであってもよい。人物が実質的に表されていない画像データの例として、人物が表されているが画像処理によって当該人物を特定できない画像データ、連絡先記憶部３０に記憶されている人物が表されていない画像データ、人物ではなく背景や建物にフォーカスが合わされている画像データ等が該当する。以下の説明でも同様である。
【００８２】
また、送受信部３４は、各共有先に、対象被写体本人が表されている関連画像データと、人物が表されていない関連画像データ（風景のみの関連画像データ）と、を送信してもよい。例えば、送受信部３４は、画像データ１，２，３，６（及び９）をＡ氏の連絡先に送信し、画像データ１，２，４，５，６（及び９）をＢ氏の連絡先に送信してもよい。
【００８３】
上述した実施例１Ａ〜１Ｃ及び実施例２のように、画像選択条件をユーザが任意に指定することで、ユーザのニーズに応じた関連画像群が簡便に選択され、更に、連絡先（関係者）が簡便に特定されて、関連画像群が関係者間で簡便に共有されることになる。
【００８４】
なお、上述した実施例１Ａ〜１Ｃ及び実施例２において、関連画像選択部２８は、人物条件のみ、撮影時間条件のみ、撮影場所条件のみ、を画像選択条件として関連画像データ群を選択してもよい。これにより、個別のニーズに応じて関連画像群が選択されることになる。
【００８５】
また、実施例１Ａ〜１Ｃ及び実施例２において代表画像データを指定する場合に、表示制御部１４は、人物がより多く表されている画像データを優先してＵＩ部１６に表示させてもよい。代表画像データに表された人物の連絡先が関連画像データの送信先になるため、人物が全く表されていない画像データよりも、人物が表されている画像データを優先して表示することで、連絡先を特定する上でユーザの利便性が向上する。
【００８６】
＜実施例３＞
次に、実施例３Ａ，３Ｂ，３Ｃについて説明する。実施例３Ａ，３Ｂ，３Ｃでは、画像管理装置１０は、関連画像データ群から人物を検出し、当該人物に関連画像データを送信する。
【００８７】
（実施例３Ａ）
図１２に示すフローチャートを参照して、実施例３Ａについて説明する。実施例３Ａでは、画像選択条件として、撮影時間条件と撮影場所条件とが指定されている。
【００８８】
実施例１Ａと同様に、表示制御部１４は、画像記憶部１２に記憶されている画像データをＵＩ部１６に表示させ（Ｓ５０）、ユーザは、ＵＩ部１６を用いて代表画像データを指定する（Ｓ５１）。例えば、図５に示す画像データ１が、代表画像データとして指定されたものとする。
【００８９】
撮影時間特定部２２は、画像データ１（代表画像データ）のメタデータに含まれる撮影日時情報を参照することで、画像データ１の撮影日（６月１０日）を特定する（Ｓ５２）。また、撮影場所特定部２４は、画像データ１のメタデータに含まれる撮影位置情報を参照することで、画像データ１の撮影場所（京都）を特定する（Ｓ５３）。
【００９０】
画像選択条件設定部２６は、撮影時間条件と撮影場所条件とを含む画像選択条件を設定する。実施例３Ａでは、画像選択条件設定部２６は、画像データ１の撮影日（６月１０日）を撮影時間条件に設定し、画像データ１の撮影場所（京都）を撮影場所条件に設定する。
【００９１】
関連画像選択部２８は、画像記憶部１２に記憶されている複数の画像データの中から、画像選択条件に従って、画像データ１の撮影日（６月１０日）と同じ日に、画像データ１の撮影場所（京都）と同じ場所で撮影された関連画像データ群を特定する（Ｓ５４）。図５に示す例では、画像データ１〜８が、代表画像データ（画像データ１）の撮影日と同じ日に、代表画像データの撮影場所と同じ場所で撮影されているので、関連画像データ群に含まれる。なお、実施例１Ｂと同様に、関連画像選択部２８は、画像データ１の撮影場所を基準にして、予め設定された場所範囲内（例えば「大阪」）で撮影された画像データ群（図５に示す例では、画像データ９）を関連画像データ群として選択してもよい。
【００９２】
そして、人物解析処理部２０は、関連画像データ群のそれぞれに表された人物の顔画像データを、関連画像データ群のそれぞれから抽出する（Ｓ５５）。図５に示す例では、人物解析処理部２０は、画像データ１〜８のそれぞれに表された人物（Ａ氏、Ｂ氏、Ｃ氏、Ｄ氏及びＥ氏）を特定し、Ａ氏、Ｂ氏、Ｃ氏、Ｄ氏及びＥ氏のそれぞれの顔画像データを、画像データ１〜８から抽出する。また、画像データ９が関連画像データ群に含まれる場合、人物解析処理部２０は、関連画像データ群から、Ａ氏、Ｂ氏、Ｃ氏、Ｄ氏、Ｅ氏及びＦ氏の顔画像データを抽出する。
【００９３】
また、連絡先選択部３２は、関連画像データ群に表されたＡ氏、Ｂ氏、Ｃ氏、Ｄ氏及びＥ氏（及びＦ氏）のそれぞれの顔画像データを検索キーとして、Ａ氏、Ｂ氏、Ｃ氏、Ｄ氏及びＥ氏（及びＦ氏）のそれぞれに対応付けられた電子メールアドレスを連絡先記憶部３０から取得する（Ｓ５６）。
【００９４】
そして、送受信部３４は、Ａ氏、Ｂ氏、Ｃ氏、Ｄ氏及びＥ氏（及びＦ氏）のそれぞれの電子メールアドレスを宛先として、関連画像データ群が添付された電子メールを送信する（Ｓ５７）。図５に示す例では、画像データ１〜８（及び９）が添付された電子メールが、Ａ氏、Ｂ氏、Ｃ氏、Ｄ氏及びＥ氏（及びＦ氏）のそれぞれの電子メールアドレスに送信される。
【００９５】
実施例３Ａによると、ユーザは代表画像を指定すれば、代表画像の撮影日と同じ日に、代表画像の撮影場所と同じ場所で撮影された関連画像群が選択され、更に、関連画像群に表された人物の連絡先が特定されて関連画像群が送信される。これにより、互いに関連する画像群が、関係者間で簡便に共有されることになる。また、撮影時間条件と撮影場所条件とを画像選択条件とすることで、人物が表されていない画像も関連画像として選択される。そのため、風景のみの画像であっても、関係者間で共有されることになる。また、関連画像群に基づいて連絡先（共有先）を特定するため、代表画像に共有先の人物が表されていなくても、共有先が特定される。すなわち、１つのイベントにて撮影されたと考えられる関連画像群から共有先を特定し、その共有先に関連画像群を送信することで、１つのイベントの関係者において、そのイベントにて撮影された関連画像群が共有されることになる。例えば、複数人で旅行した場合に、その旅行に参加した人物に対して、その旅行中に撮影された関連画像群が送信されることになる。
【００９６】
なお、実施例３Ａにおいて、関連画像選択部２８は、撮影時間条件のみ、又は、撮影場所条件のみ、を画像形成条件として関連画像データ群を選択してもよい。これにより、個別のニーズに応じて関連画像データ群が選択される。
【００９７】
（実施例３Ｂ）
次に、図１３に示すフローチャートを参照して、実施例３Ｂについて説明する。実施例３Ｂでは、画像選択条件として、人物条件と撮影時間条件と撮影場所条件とが指定されている。
【００９８】
実施例１Ａと同様に、表示制御部１４は、画像記憶部１２に記憶されている画像データをＵＩ部１６に表示させ（Ｓ６０）、ユーザがＵＩ部１６を用いて代表画像データを指定すると（Ｓ６１）、人物解析処理部２０は、代表画像データから顔画像データを抽出する（Ｓ６２）。実施例１Ａと同様に、図５に示す画像データ１が代表画像データとして指定された場合、Ａ氏及びＢ氏のそれぞれの顔画像データが画像データ１から抽出される。
【００９９】
一方、撮影時間特定部２２は、画像データ１（代表画像データ）のメタデータに含まれる撮影日時情報を参照することで、画像データ１の撮影日（６月１０日）を特定する（Ｓ６３）。また、撮影場所特定部２４は、画像データ１のメタデータに含まれる撮影位置情報を参照することで、画像データ１の撮影場所（京都）を特定する（Ｓ６４）。
【０１００】
画像選択条件設定部２６は、人物条件と撮影時間条件と撮影場所条件とを含む画像選択条件を設定する。実施例３Ｂでは、画像選択条件設定部２６は、画像データ１に表された人物（Ａ氏及びＢ氏）を人物条件に設定し、画像データ１の撮影日（６月１０日）を撮影時間条件に設定し、画像データ１の撮影場所（京都）を撮影場所条件に設定する。
【０１０１】
関連画像選択部２８は、画像記憶部１２に記憶されている複数の画像データの中から、画像データ１の撮影日（６月１０日）と同じ日に、画像データ１の撮影場所（京都）と同じ場所で撮影された画像データ群を特定する（Ｓ６５）。図５に示す例では、画像データ１〜８が特定される。なお、実施例１Ｂと同様に、関連画像選択部２８は、画像データ１の撮影場所を基準にして、予め設定された場所範囲内（例えば「大阪」）で撮影された画像データ群（図５に示す例では、画像データ９）を選択してもよい。
【０１０２】
そして、関連画像選択部２８は、ステップＳ６５で特定された画像データ群と、人物解析処理部２０で抽出された顔画像データ（Ａ氏及びＢ氏のそれぞれの顔画像データ）と、を対象にしてマッチング処理を行うことで、画像データ群の中から、Ａ氏及びＢ氏のうち少なくとも一方が表されている画像データを関連画像データとして選択する（Ｓ６６）。図５に示す例では、画像データ１〜５（及び９）が関連画像データに含まれる。
【０１０３】
そして、人物解析処理部２０は、関連画像データ群のそれぞれに表された人物の顔画像データを、関連画像データ群のそれぞれから抽出する（Ｓ６７）。図５に示す例では、人物解析処理部２０は、画像データ１〜５のそれぞれに表された人物（Ａ氏、Ｂ氏、Ｃ氏及びＤ氏）を特定し、Ａ氏、Ｂ氏、Ｃ氏及びＤ氏の顔画像データを、画像データ１〜５から抽出する。また、画像データ９が関連画像データ群に含まれる場合、人物解析処理部２０は、関連画像データ群から、Ａ氏、Ｂ氏、Ｃ氏、Ｄ氏及びＦ氏の顔画像データを抽出する。
【０１０４】
また、連絡先選択部３２は、関連画像データ群に表されたＡ氏、Ｂ氏、Ｃ氏及びＤ氏（及びＦ氏）のそれぞれの顔画像データを検索キーとして、Ａ氏、Ｂ氏、Ｃ氏及びＤ氏（及びＦ氏）のそれぞれに対応付けられた電子メールアドレスを連絡先記憶部３０から取得する（Ｓ６８）。
【０１０５】
そして、送受信部３４は、Ａ氏、Ｂ氏、Ｃ氏及びＤ氏（及びＦ氏）のそれぞれの電子メールアドレスを宛先として、関連画像データ群が添付された電子メールを送信する（Ｓ６９）。
【０１０６】
実施例３Ｂによると、ユーザは代表画像を指定すれば、代表画像の撮影日と同じ日に、代表画像の撮影場所と同じ場所で撮影され、代表画像に表された人物が表された関連画像群が選択され、更に、関連画像群に表された人物の連絡先（共有先）が特定されて関連画像群が送信される。これにより、互いに関連する画像群が、関係者間で簡便に共有されることになる。また、関連画像群に基づいて連絡先を特定するため、代表画像に関係者が表されていなくても、関係者の連絡先（共有先）が特定される。これにより、１つのイベントの関係者において、そのイベントにて撮影された関連画像群が共有されることになる。
【０１０７】
なお、実施例３Ｂにおいて、関連画像選択部２８は、人物条件と撮影時間条件とを画像選択条件として関連画像データ群を選択してもよいし、人物条件と撮影場所条件とを画像選択条件として関連画像データ群を選択してもよい。これにより、個別のニーズに応じて関連画像データ群が選択される。
【０１０８】
（実施例３Ｃ）
次に、図１４に示すフローチャートを参照して、実施例３Ｃについて説明する。実施例３Ｃでは、画像選択条件として、撮影時間条件と撮影場所条件とが指定されている。
【０１０９】
実施例１Ａと同様に、表示制御部１４は、画像記憶部１２に記憶されている画像データをＵＩ部１６に表示させ（Ｓ７０）、ユーザは、ＵＩ部１６を用いて代表画像データを指定する（Ｓ７１）。例えば、図５に示す画像データ１が、代表画像データとして指定されたものとする。
【０１１０】
撮影時間特定部２２は、画像データ１（代表画像データ）のメタデータに含まれる撮影日時情報を参照することで、画像データ１の撮影日（６月１０日）を特定する（Ｓ７２）。また、撮影場所特定部２４は、画像データ１のメタデータに含まれる撮影位置情報を参照することで、画像データ１の撮影場所（京都）を特定する（Ｓ７３）。
【０１１１】
画像選択条件設定部２６は、撮影時間条件と撮影場所条件とを含む画像選択条件を設定する。実施例３Ｃでは、画像選択条件設定部２６は、画像データ１の撮影日（６月１０日）を撮影時間条件に設定し、画像データ１の撮影場所（京都）を撮影場所条件に設定する。
【０１１２】
関連画像選択部２８は、画像記憶部１２に記憶されている複数の画像データの中から、画像データ１の撮影日（６月１０日）と同じ日に、画像データ１の撮影場所（京都）と同じ場所で撮影された関連画像データ群を特定する（Ｓ７４）。図５に示す例では、画像データ１〜８が関連画像データ群に含まれる。なお、実施例１Ｂと同様に、関連画像選択部２８は、画像データ１の撮影場所を基準にして、予め設定された場所範囲内（例えば「大阪」）で撮影された画像データ群（図５に示す例では、画像データ９）を、関連画像データ群として選択してもよい。
【０１１３】
そして、人物解析処理部２０は、関連画像データ群のそれぞれに表された人物の顔画像データを、関連画像データ群のそれぞれから抽出する（Ｓ７５）。図５に示す例では、人物解析処理部２０は、画像データ１〜８のそれぞれに表された人物（Ａ氏、Ｂ氏、Ｃ氏、Ｄ氏及びＥ氏）を特定し、Ａ氏、Ｂ氏、Ｃ氏、Ｄ氏及びＥ氏のそれぞれの顔画像データを、画像データ１〜８から抽出する。また、画像データ９が関連画像データ群に含まれる場合、人物解析処理部２０は、関連画像データ群から、Ａ氏、Ｂ氏、Ｃ氏、Ｄ氏、Ｅ氏及びＦ氏の顔画像データを抽出する。
【０１１４】
また、連絡先選択部３２は、関連画像データ群に表されたＡ氏、Ｂ氏、Ｃ氏、Ｄ氏及びＥ氏（及びＦ氏）のそれぞれの顔画像データを検索キーとして、Ａ氏、Ｂ氏、Ｃ氏、Ｄ氏及びＥ氏（及びＦ氏）のそれぞれに対応付けられた電子メールアドレスを連絡先記憶部３０から取得する（Ｓ７６）。
【０１１５】
そして、表示制御部１４は、連絡先選択部３２によって取得された連絡先情報（電子メールアドレス）の一覧をＵＩ部１６に表示させる（Ｓ７７）。表示制御部１４は、例えば、Ａ氏、Ｂ氏、Ｃ氏、Ｄ氏及びＥ氏（及びＦ氏）のそれぞれの電子メールアドレスをＵＩ部１６に表示させる。または、表示制御部１４は、Ａ氏、Ｂ氏、Ｃ氏、Ｄ氏及びＥ氏（及びＦ氏）のそれぞれの名前やＩＤをＵＩ部１６に表示させてもよい。
【０１１６】
そして、ＵＩ部１６に表示されている電子メールアドレスの一覧から、ユーザが送信対象となる人物の電子メールアドレスを選択すると、送受信部３４は、ユーザによって選択された電子メールアドレスを宛先にして、関連画像データ群が添付された電子メールを送信する（Ｓ７８）。例えば、ユーザによって、Ａ氏及びＢ氏のそれぞれの電子メールアドレスが選択されると、送受信部３４は、Ａ氏及びＢ氏のそれぞれの電子メールアドレスを宛先にして、関連画像データが添付された電子メールを送信する。
【０１１７】
実施例３Ｃによると、ユーザは代表画像を指定すれば、代表画像の撮影日と同じ日に、代表画像の撮影場所と同じ場所で撮影された関連画像群が選択され、更に、関連画像群に表された人物の連絡先（共有先）が表示される。これにより、ユーザによる共有先の選択が容易となり、ユーザ操作の煩雑さが減少する。そして、ユーザによって共有先が指定されると、互いに関連する画像群が、共有先で共有されることになる。また、関連画像群に基づいて共有先を特定するため、代表画像に共有先の人物が表されていなくても、共有先が特定される。これにより、１つのイベントの関係者において、そのイベントにて撮影された関連連画像群が共有されることになる。
【０１１８】
なお、実施例３Ｃにおいて、関連画像選択部２８は、撮影時間条件のみ、又は、撮影場所条件のみ、を画像形成条件として関連画像データ群を選択してもよい。これにより、個別のニーズに応じて関連画像データ群が選択される。
【０１１９】
上述した実施例１，２では、代表画像に基づいて共有先を特定し、実施例３では、関連画像に基づいて共有先を特定している。このように共有先を特定するための画像（代表画像／関連画像）を切り替えるための画面を、ＵＩ部１６に表示してもよい。例えば、表示制御部１４は、共有先を特定するための画像として代表画像を指定するためのチェックボックスと、共有先を特定するための画像として関連画像を指定するためのチェックボックスと、をＵＩ部１６に表示させる。ユーザによって、代表画像又は関連画像のいずれかのチェックボックスが指定されると、連絡先選択部３２は、その指示に従い、代表画像又は関連画像のいずれかから抽出された顔画像データに基づいて、連絡先情報（共有先情報）を連絡先記憶部３０から取得する。共有先を特定するための画像として代表画像が指定された場合の例が、実施例１，２に相当し、共有先を特定するための画像として関連画像が指定された場合の例が、実施例３に相当する。
【０１２０】
＜実施例４＞
次に、図１５に示すフローチャートを参照して、実施例４について説明する。実施例４では、画像管理装置１０は、撮影日と撮影日の前後数日とを含む連続撮影期間中に撮影された画像データを関連画像データとして選択する。
【０１２１】
実施例１Ａと同様に、表示制御部１４は、画像記憶部１２に記憶されている画像データをＵＩ部１６に表示させ（Ｓ８０）、ユーザは、ＵＩ部１６を用いて代表画像データを指定する（Ｓ８１）。例えば、図５に示す画像データ１が、代表画像データとして指定されたものとする。
【０１２２】
撮影時間特定部２２は、画像データ１（代表画像データ）のメタデータに含まれる撮影日時情報を参照することで、画像データ１の撮影日（６月１０日）を特定する（Ｓ８２）。
【０１２３】
画像選択条件設定部２６は、代表画像データ（画像データ１）の撮影日を含む連続した撮影期間を、候補撮影期間として特定する（Ｓ８３）。
【０１２４】
ここで、図５及び図７を参照して、候補撮影期間について説明する。図７に示すように、画像データ１３が６月７日に撮影されており、６月７日から６月１３日まで連続して撮影が行われている。従って、６月７日から６月１３日までが候補撮影期間として特定される。なお、６月６日には撮影が行われていないものとする。
【０１２５】
そして、人物解析処理部２０は、代表画像データ（画像データ１）から顔画像データを抽出する（Ｓ８４）。図５に示す画像データ１が代表画像データとして指定された場合、Ａ氏及びＢ氏が対象被写体として特定され、Ａ氏及びＢ氏のそれぞれの顔画像データが画像データ１から抽出される。
【０１２６】
そして、抽出された顔画像データが連絡先記憶部３０に登録されている場合、すなわち、Ａ氏及びＢ氏のうち少なくとも一方が連絡先記憶部３０に登録されている場合（Ｓ８５，Ｙｅｓ）、画像選択条件設定部２６は、対象被写体（Ａ氏及びＢ氏のうち少なくとも一方）が表された画像データが１枚も撮影されていない撮影日を、候補撮影期間から除外し、代表画像データ（画像データ１）の撮影日を含む連続した撮影期間を、連続撮影期間として特定する（Ｓ８６）。
【０１２７】
具体例を挙げて説明すると、図５及び図７に示す例では、６月８日に撮影された画像データ１４には、Ａ氏及びＢ氏のいずれも表されていない。また、６月１３日に撮影された画像データ２２，２３には、Ａ氏及びＢ氏のいずれも表されていない。一方、６月９日に撮影された画像データ１５，１６には、Ａ氏及びＢ氏のうちの少なくとも一方が表されている。また、６月１１日に撮影された画像データ１７，１８，１９のうち、画像データ１８，１９には、Ａ氏及びＢ氏のうちの少なくとも一方が表されている。また、６月１２日に撮影された画像データ２０，２１のうち、画像データ２１には、Ａ氏及びＢ氏が表されている。従って、６月９日から６月１２日までの期間が、代表画像データ（画像データ１）の撮影日（６月１０日）を含む連続撮影期間に該当する。
【０１２８】
そして、画像選択条件設定部２６は、連続撮影期間（６月９日から６月１２日までの期間）を撮影時間条件に設定し、撮影時間条件を画像選択条件に含める。また、画像選択条件設定部２６は、人物条件及び撮影場所条件のうち少なくとも一方を、画像選択条件に含めてもよい。
【０１２９】
そして、画像管理装置１０は、連続撮影期間中に撮影された画像データ群を対象にして、関連画像データ群の選択及び送信を行う（Ｓ８８）。関連画像データ群の選択及び連絡先の特定については、上述した実施例１〜３のいずれかを適用する。
【０１３０】
例えば、関連画像選択部２８は、連続撮影期間中に撮影されたすべての画像データを、関連画像データ群として選択してもよい。または、関連画像選択部２８は、撮影時間条件に加え、人物条件及び撮影場所条件のうち少なくとも一方を画像選択条件に加えて、連続撮影期間中に撮影された画像データ群から、人物条件及び撮影場所条件のうち少なくとも一方の条件に合致する画像データ群を、関連画像データ群として選択してもよい。
【０１３１】
また、連絡先選択部３２は、実施例１〜３で説明したように、代表画像データ又は関連画像データに基づいて、関連画像データ群の送信先（共有先）を選択してもよい。
【０１３２】
一方、ステップＳ８４にて抽出された顔画像データが連絡先記憶部３０に登録されていない場合、すなわち、Ａ氏及びＢ氏のいずれもが連絡先記憶部３０に登録されていない場合（Ｓ８５，Ｎｏ）、画像選択条件設定部２６は、候補撮影期間を連続撮影期間として設定する（Ｓ８７）。この場合、６月７日から６月１３日までの期間が、連続撮影期間に該当する。そして、画像選択条件設定部２６は、連続撮影期間（６月７日から６月１３日までの期間）を撮影時間条件に設定し、撮影時間条件を画像選択条件に含める。この場合も、実施例１〜３のいずれかを適用することで、画像管理装置１０は、関連画像データ群を選択し、関連画像データ群を送信先（共有先）に送信する（Ｓ８８）。
【０１３３】
実施例４によると、ユーザは代表画像を指定すれば、代表画像の撮影日を含む連続撮影期間であって、対象被写体が表された画像の撮影日が連続する連続撮影期間が特定され、その連続撮影期間中に撮影された画像データ群を対象にして、共有に関する処理が行われる。実施例４で特定された連続撮影期間中に撮影された画像データ群には、対象被写体が表されているため、当該画像データ群は、同じイベントで撮影された画像データ群に相当する。従って、実施例４によると、同じイベントで撮影された関連画像群が選択されて、関係者に送信されることになる。例えば、複数の日数に亘って複数人で旅行した場合に、旅行した期間という観点から、その旅行中に撮影された画像群が関連画像群として選択されて関係者間で共有されることになる。
【０１３４】
（実施例４の変形例１）
次に、図１６を参照して、実施例４の変形例１について説明する。図１６には撮影期間が示されており、横軸は時間（日付）である。図１６に示す例では、８月１０日に画像データ群２２０が撮影され、８月１１日に画像データ群２３０が撮影され、８月１２日に画像データ群２００が撮影され、８月１３日に画像データ群２４０が撮影され、８月１４日に画像データ群２５０が撮影されている。なお、８月９日及び８月１５日には撮影が行われていないものとする。従って、８月１０日から８月１４日まで連続して撮影が行われたことになる。また、８月１２日に撮影された画像データ２１０が、代表画像データとして指定されたものとする。
【０１３５】
変形例１では、画像選択条件設定部２６は、代表画像データ（画像データ２１０）の撮影日に撮影された画像データ群２００に表された人物を、対象被写体（例えばＡ氏、Ｂ氏及びＣ氏）として特定する。そして、画像選択条件設定部２６は、当該対象被写体とは異なる人物が表された画像データの撮影日を除き、対象被写体が表された画像データの撮影日が連続する連続撮影期間を特定する。図１６に示す例では、８月１０日に撮影された画像データ群２２０には、Ａ氏、Ｂ氏及びＣ氏以外の人物としてＤ氏及びＥ氏が表された画像データが含まれる。また、８月１４日に撮影された画像データ群２５０には、Ａ氏、Ｂ氏及びＣ氏以外の人物としてＥ氏が表された画像データが含まれる。このように、８月１０日及び８月１４日に撮影された画像データには、対象被写体（Ａ氏、Ｂ氏及びＣ氏）以外の人物が表されているため、画像選択条件設定部２６は、８月１０日及び８月１４日を連続撮影期間から除外する。一方、８月１１日から８月１３日の間に撮影された画像データ群には、対象被写体以外の人物が表されていないため、画像選択条件設定部２６は、８月１１から８月１３日までの期間を連続撮影期間として設定する。
【０１３６】
変形例１においても、上記の実施例４と同様に、画像管理装置１０は、連続撮影期間中に撮影された画像データ群を対象にして、関連画像データ群の選択及び送信を行う。
【０１３７】
対象被写体（Ａ氏、Ｂ氏及びＣ氏）以外の人物が表された画像データ（画像データ群２２０，２５０）の撮影日（８月１０日、１４日）に行われたイベントは、連続撮影期間（８月１１日から１３日）に行われたイベントとは、異なるものであると評価される。すなわち、同じイベントで撮影された画像データであれば、対象被写体以外の人物は表されていないと評価される。従って、対象被写体以外の人物が撮影された日を連続撮影期間から除外することで、同じイベントで撮影された画像データ群が撮影され得る。
【０１３８】
（実施例４の変形例２）
次に、実施例４の変形例２について説明する。変形例２では、人物解析処理部２０は、代表画像データの撮影日を含む連続した撮影期間中に撮影された画像データ群のそれぞれから、顔画像データを抽出する。そして、人物解析処理部２０は、代表画像データから抽出された顔画像データ（対象被写体の顔画像データ）と、連続した撮影期間中の画像データ群から抽出された顔画像データと、を対象にしてマッチング処理を行い、対象被写体の顔画像データの組合せに対する類似度を求める。画像選択条件設定部２６は、その類似度に基づいて、代表画像データの撮影日を含む連続撮影期間を特定する。例えば、画像選択条件設定部２６は、対象被写体の顔画像データの組合せに対する類似度が予め設定された閾値以上となる顔画像データを特定し、類似度が閾値以上となる顔画像データが抽出された画像データの撮影日が連続する期間を、連続撮影期間として特定する。そして、関連画像選択部２８は、当該連続撮影期間中に撮影された画像データ群を対象にして、関連画像データ群を選択する。
【０１３９】
具体例を挙げて説明すると、代表画像データにはＡ氏、Ｂ氏、Ｃ氏及びＤ氏が表されているものとする。この場合、人物解析処理部２０は、代表画像データからＡ氏、Ｂ氏、Ｃ氏及びＤ氏のそれぞれの顔画像データを抽出する。また、代表画像データの撮影日に連続する日に撮影された画像データに、Ａ氏、Ｂ氏及びＣ氏が表されていた場合、人物解析処理部２０は、当該画像データからＡ氏、Ｂ氏及びＣ氏のそれぞれの顔画像データを抽出する。そして、人物解析処理部２０は、両顔画像データの組合せの類似度を求める。Ａ氏、Ｂ氏、Ｃ氏及びＤ氏のグループと、Ａ氏、Ｂ氏及びＣ氏のグループと、の類似度が、閾値以上であれば、画像選択条件設定部２６は、Ａ氏、Ｂ氏及びＣ氏が表された画像データの撮影日を、連続撮影期間に含める。
【０１４０】
以上のように、画像データに表された人物の類似度に基づいて連続撮影期間を特定することで、一緒に行動した集団という観点から画像選択の条件が絞り込まれる。これにより、１つのイベントで撮影された関連画像群が選択されて、関係者に送信されることになる。
【０１４１】
また、実施例４の別の変形例として、画像選択条件設定部２６は、各撮影日の間隔が予め設定された閾値期間以下となる撮影期間を、連続撮影期間として特定してもよい。各撮影日の間隔が閾値期間以下となる撮影期間中に撮影された画像データ群は、同じイベントで撮影された画像データ群に該当し得る。一方、各撮影日の間隔が閾値期間を超える場合、各撮影日で撮影された画像データ群は、それぞれ異なるイベントで撮影された画像データ群に該当し得る。従って、各撮影日の間隔に基づいて連続撮影期間を特定して関連画像データ群を選択することで、同じイベントで撮影された関連画像データが選択され得る。
【０１４２】
（実施例５）
次に、実施例５について説明する。上述した実施例１〜４において、人物が表されていない画像データを送信する場合、画像管理装置１０は、人物が表されていない画像データ群のうち、送信者自身が撮影した画像データを送信してもよい。ここで、送信者とは、画像管理装置１０の所有者、画像管理装置１０にアカウントが設定されたユーザ、又は、画像管理装置１０にログインしたユーザ等である。例えば、関連画像選択部２８は、人物が表されていない関連画像データ群のそれぞれに付帯された撮影者情報に基づいて、送信者が撮影した関連画像データを送信対象の画像データとして選択する。これにより、送信者と共に行動した人物に対して、当該人物には関係が無い又は関係性が低い画像データが送信されず、当該人物が欲すると想定される画像データが送信されることになる。
【０１４３】
具体例を挙げて説明する。例えば、Ａ氏及びＢ氏が共に行動して「富士山」に登り、Ａ氏が自分のスマートフォンや携帯電話（画像管理装置１０）を使用して撮影したものとする。このとき、Ａ氏及びＢ氏が表された画像データや、「富士山の風景」のみが表された画像データが撮影されたものとする。その行動時に撮影された画像データ群は、Ａ氏を示す撮影者情報が付帯されて画像記憶部１２に記憶される。一方、画像記憶部１２には、画像管理装置１０によって撮影された画像データの他、他の装置から送信された画像データも記憶されている場合がある。従って、撮影日や撮影場所が同じ画像データであっても、互いに関連性が無い又は低い画像データが存在する場合がある。例えば、Ａ氏及びＢ氏が行動した日と同じ日に撮影された画像データであるが、Ａ氏及びＢ氏の行動とは全く関係のない行動時に撮影された画像データも、画像記憶部１２に記憶されることがある。具体例を挙げて説明すると、Ａ氏の友人であるＣ氏がニューヨークにて「自由の女神」を撮影し、「自由の女神」が表された画像データを、Ａ氏の画像管理装置１０に送信する場合がある。この場合、当該画像データは、画像管理装置１０の画像記憶部１２に記憶される。仮に、「自由の女神」の画像データの撮影日が、「富士山の風景」の画像データの撮影日と同じであっても、「自由の女神」の画像データは、Ｂ氏（の行動）には全く関係の無い画像データである。
【０１４４】
そして、Ａ氏が画像管理装置１０を使用して関連画像データをＢ氏宛てに送信しようとする場合に、人物が表されていない画像データが関連画像データとして選択されたものとする。例えば、「富士山の風景」の画像データが関連画像データとして選択される。一方、Ｃ氏が撮影した「自由の女神」の画像データの撮影日が、「富士山の風景」の画像データの撮影日と同じ場合、その「自由の女神」の画像データも、関連画像データとして選択され得る。この場合、関連画像選択部２８は、画像データに付帯されている撮影者情報に基づいて撮影者を特定し、送信者と同じ撮影者によって撮影された画像データを、関連画像データとして選択する。「富士山の風景」の画像データには、Ａ氏を示す撮影者情報が付帯されている。一方、「自由の女神」の画像データはＣ氏によって撮影された画像データであり、「自由の女神」の画像データには、Ａ氏を示す撮影者情報は付帯されていない。従って、関連画像選択部２８は、「自由の女神」の画像データを関連画像データとして選択せずに、「富士山の風景」の画像データを関連画像データとして選択することになる。これにより、Ｂ氏には、「富士山の風景」の画像データが送信されるが、Ｂ氏とは関係のない「自由の女神」の画像データは送信されずに済む。
【０１４５】
以上のように、人物が表されていない画像データを共有先に送信する場合、送信者自身が撮影した画像データを共有先に送信することで、共有先には関係の無い又は関係性が低い画像データが送信されずに済む。これにより、同じイベントで撮影された関連画像データが、共有先にて共有されることになる。
【０１４６】
なお、実施例１〜５において、送受信部３４は、各共有先に、各共有先の本人が表されていない関連画像データを送信せずに、各共有先の本人が表されている関連画像データを送信してもよい。例えば実施例１Ａの場合、送受信部３４は、画像データ１，２，３，９をＡ氏の連絡先に送信し、画像データ１，２，４，５，９をＢ氏の連絡先に送信する。
【０１４７】
（実施例６）
次に、図１７を参照して、実施例６について説明する。実施例６に係る画像管理装置１０Ａは、図１に示す画像管理装置１０の構成に加えて、アクセス権設定部３６を含む。画像管理装置１０Ａは、ネットワーク等の通信経路Ｎを介してサーバ７０に接続されている。
【０１４８】
サーバ７０は、記憶装置７２を含む。記憶装置７２には、撮影によって取得された画像データ群が記憶されている。例えば、スマートフォンや携帯電話等の携帯端末装置によって撮影された画像データ群がサーバ７０に送信され、記憶装置７２に記憶される。また、画像管理装置１０Ａによって撮影された画像データ群がサーバ７０に送信されて、記憶装置７２に記憶されてもよい。
【０１４９】
実施例６では、画像管理装置１０Ａは、サーバ７０に記憶されている画像データ群を対象にして関連画像データ群を選択し、関連画像データ群を共有先に共有させる。
【０１５０】
まず、画像管理装置１０Ａはサーバ７０にアクセスする。表示制御部１４は、記憶装置７２に記憶されている画像データをＵＩ部１６に表示させ、ユーザは、ＵＩ部１６に表示された画像データの中から代表画像データを指定する。そして、画像解析部１８は、記憶装置７２に記憶されている画像データ群を対象にして、上述した実施例１〜５のいずれかを実行することで、関連画像データ群を選択し、また、共有先を特定する。
【０１５１】
そして、アクセス権設定部３６は、関連画像データ群の格納場所を示すアドレス情報（例えばＵＲＬ）をサーバ７０から取得し、共有先に当該格納場所に対するアクセス権を設定する。送受信部３４は、共有先にアドレス情報を送信する。
【０１５２】
アドレス情報を受信した共有先の装置は、サーバ７０にアクセスし、当該アドレス情報が示す格納場所から関連画像データを受信する。
【０１５３】
実施例６によると、サーバ７０等のように画像管理装置１０，１０Ａ以外の装置で管理されている画像データであっても、共有先にて共有されることになる。
【０１５４】
また、画像管理装置１０Ａは、実施例１〜５と同様に、画像記憶部１２に記憶されている画像データを対象にして関連画像データを選択してもよい。この場合、画像管理装置１０Ａは、関連画像データをサーバ７０にアップロードし、共有先に、関連画像データの格納場所を示すアドレス情報を送信してもよい。
【０１５５】
また、サーバ７０の記憶装置７２に記憶されている画像データ群から関連画像データ群が選択された場合、関連画像データ群と、それ以外の画像データ群とを、別々のフォルダやディレクトリによって管理してもよい。図１８を参照して具体的に説明する。例えば、１００枚の画像データを含む画像データ群７４が、記憶装置７２のフォルダＡ内に格納されていたものとする。このとき、画像管理装置１０Ａによって、画像データ群７４から、１０枚の画像データを含む関連画像データ群７６が選択されたものとする。この場合、サーバ７０は、フォルダＡとは別のフォルダＢに、関連画像データ群７６を移し、フォルダＢ内に関連画像データ群７６を格納する。このように関連画像データ群７６とそれ以外の画像データ群とが別々に管理されるため、サーバ７０にアクセスしたときに、関連画像データ群７６が容易に特定され、関連画像データ群７６へのアクセスが容易となる。なお、図１に示す画像管理装置１０の画像記憶部１２においても、関連画像データ群と、それ以外の画像データ群と、を別々のフォルダで管理してもよい。
【０１５６】
なお、実施例６において、送受信部３４は、各共有先に、各共有先の本人が表されていない関連画像データのアドレス情報を送信せずに、各共有先の本人が表されている関連画像データのアドレス情報を送信してもよい。
【０１５７】
また、上述した実施例１〜６において、表示制御部１４は、関連画像データ群をＵＩ部１６に表示させてもよい。この場合、ユーザはＵＩ部１６を用いて、関連画像データ群から送信対象外の画像データを削除してもよいし、他の画像データを関連画像データ群に追加してもよい。また、表示制御部１４は、共有先の情報（共有先の電子メールアドレス）をＵＩ部１６に表示させ、ユーザがＵＩ部１６を用いて、共有先を追加したり削除したりしてもよい。
【０１５８】
また、上述した実施例１〜６において、ユーザは複数の代表画像データを指定してもよい。この場合、人物解析処理部２０は、複数の代表画像データのそれぞれから顔画像データを抽出し、撮影時間特定部２２は、複数の代表画像データのそれぞれの撮影時間を特定し、撮影場所特定部２４は、複数の代表画像データのそれぞれの撮影場所を特定する。そして、画像選択条件設定部２６は、各代表画像データに基づいて、人物条件、撮影時間条件及び撮影場所条件のうち少なくとも１つの条件を含む画像選択条件を設定する。そして、関連画像選択部２８は、複数の代表画像データに基づいて設定された画像選択条件に従って、関連画像データ群を選択する。また、連絡先選択部３２は、代表画像データ及び関連画像データのうち少なくとも一方に基づいて、共有先を特定する。
【０１５９】
例えば、共有先を代表画像データに基づいて特定する場合、複数の代表画像データを指定することで、一方の代表画像データには表されていないが他方の代表画像データには表されている人物が、共有先の人物として特定される。これにより、１つの代表画像データに基づいて共有先を特定する場合と比較して、複数の共有先の特定が容易となる。また、関連画像データを選択する観点からしても、複数の代表画像データを指定することで、複数の撮影日や複数の撮影場所が画像選択条件として選択され得るため、１つの代表画像データに基づいて設定された画像選択条件に従って関連画像データを選択する場合と比較して、関連画像データ群の選択が容易となる。例えば、撮影日の異なる複数の代表画像データを指定することで、１つの代表画像データを指定する場合と比較して、複数の日に亘って行われたイベントにて撮影された関連画像データ群の選択が容易となる。
【０１６０】
また、上述した実施例１〜６において、画像管理装置１０，１０Ａは、共有先に電話をかけてもよい。
【０１６１】
また、上述した実施例１〜６では、スチル写真や動画像データの１フレームである画像データを対象にして関連画像データ群を選択したが、動画像データを対象にし、複数の動画像データの中から関連動画像データを選択するようにしてもよい。
【０１６２】
なお、画像管理装置１０，１０Ａは、一例としてハードウェア資源とソフトウェアとの協働により実現される。具体的には、画像管理装置１０，１０Ａは、図示しないＣＰＵ等のプロセッサを備えている。当該プロセッサが、図示しない記憶装置に記憶されたプログラムを読み出して実行することにより、表示制御部１４、画像解析部１８、連絡先選択部３２及びアクセス権設定部３６のそれぞれの機能が実現される。上記プログラムは、ＣＤやＤＶＤ等の記憶媒体を経由して、又は、ネットワーク等の通信手段を経由して、記憶装置に記憶される。
【符号の説明】
【０１６３】
１０，１０Ａ  画像管理装置、１２  画像記憶部、１４  表示制御部、１６  ＵＩ部、１８  画像解析部、２０  人物解析処理部、２２  撮影時間特定部、２４  撮影場所特定部、２６  画像選択条件設定部、２８  関連画像選択部、３０  連絡先記憶部、３２  連絡先選択部、３４  送受信部、３６  アクセス権設定部、５０  撮影装置、７０  サーバ、７２  記憶装置。
【図１】
2015073277.tif 000003
【図２】
2015073277.tif 000004
【図３】
2015073277.tif 000005
【図４】
2015073277.tif 000006
【図６】
2015073277.tif 000007
【図８】
2015073277.tif 000008
【図９】
2015073277.tif 000009
【図１０】
2015073277.tif 000010
【図１１】
2015073277.tif 000011
【図１２】
2015073277.tif 000012
【図１３】
2015073277.tif 000013
【図１４】
2015073277.tif 000014
【図１５】
2015073277.tif 000015
【図１６】
2015073277.tif 000016
【図１７】
2015073277.tif 000017
【図１８】
2015073277.tif 000018
【図５】
2015073277.tif 000019
【図７】
2015073277.tif 000020